(57)【要約】      （修正有）【課題】薬液を容易に眼に滴下できる点眼補助具、及び点眼補助部を備えた点眼容器を提供する。【解決手段】薬液の滴下用ノズル、又は点眼容器１００のノズル１０１が配置可能な配置部と、滴下用ノズル又は配置部に配置された状態のノズルからの薬液の排出方向と直交する方向における滴下用ノズル又は配置部の一方側に配置され、且つ、眼窩口の下縁部に当接させるための第一当接部３１と、前記直交する方向における滴下用ノズル又は配置部の他方側に配置され、且つ、上瞼における眼窩口と重なる位置に当接させるための第二当接部３２とを備え、第一当接部及び第二当接部のそれぞれは、前記排出方向に沿って延び、第二当接部の先端は、第一当接部の先端より前記排出方向の側に突出している。【選択図】図４
2020081321.tif 000002
【特許請求の範囲】
【請求項１】
薬液の滴下用ノズル、又は点眼容器のノズルが配置可能な配置部と、
前記滴下用ノズル又は前記配置部に配置された状態の前記ノズルからの薬液の排出方向と直交する方向における前記滴下用ノズル又は前記配置部の一方側に配置され、且つ、眼窩口の下縁部に当接させるための第一当接部と、
前記直交する方向における前記滴下用ノズル又は前記配置部の他方側に配置され、且つ、上瞼における眼窩口と重なる位置に当接させるための第二当接部と、を備え、
前記第一当接部及び前記第二当接部のそれぞれは、前記排出方向に沿って延び、
前記第二当接部の先端は、前記第一当接部の先端より前記排出方向側に突出している、点眼補助具。
【請求項２】
前記滴下用ノズル又は前記配置部は、前記直交する方向における前記第一当接部の先端と前記第二当接部の先端との中央位置より前記第二当接部側の位置に配置される、請求項１に記載の点眼補助具。
【請求項３】
前記滴下用ノズルの基部の中心又は前記配置部の中心から、前記第二当接部の先端までの距離は、２０ｍｍ〜４０ｍｍである、請求項１又は２に記載の点眼補助具。
【請求項４】
薬液の滴下用のノズルと、
前記ノズルからの前記薬液の排出方向と直交する方向における該ノズルの一方側に配置され且つ眼窩口の下縁部に当接させるための第一当接部、及び、前記直交する方向における該ノズルの他方側に配置され且つ上瞼における眼窩口と重なる位置に当接させるための第二当接部、を有する点眼補助部と、
前記ノズルに接続され且つ前記薬液を収容可能な容器本体と、を備え、
前記第一当接部及び前記第二当接部のそれぞれは、前記排出方向に沿って延び、
前記第二当接部の先端は、前記第一当接部の先端より前記排出方向側に突出している、点眼容器。
【請求項５】
着脱可能に前記ノズル及び前記点眼補助部に被せられるキャップを備え、
前記ノズルは、前記直交する方向における前記第一当接部の先端と前記第二当接部の先端との中央位置より前記第二当接部側の位置に配置され、
前記キャップは、前記ノズルを収容可能な二つのノズル収容部を有し、
前記二つのノズル収容部のそれぞれは、前記直交する方向における前記キャップの向きを入れ替えて被せたときに前記二つのノズル収容部のいずれか一方のノズル収容部が前記ノズルを収容できるように配置されている、請求項４に記載の点眼容器。
【請求項６】
前記ノズルと前記点眼補助部とは、一体である、請求項４又は５に記載の点眼容器。
【発明の詳細な説明】
【技術分野】
【０００１】
本発明は、眼に薬液をさす際に用いられる点眼補助具、及び点眼補助部を備えた点眼容器に関する。
【背景技術】
【０００２】
従来から、点眼を補助する部位を有する点眼容器が知られている（特許文献１参照）。具体的に、この点眼容器は、図１９に示すように、薬液を収容する容器本体５０１と、容器本体５０１の上端面５０１ａに突設されたノズル５０２と、ノズル５０２の両側において該ノズル５０２より所定間隔離れた位置からノズル５０２の高さより高くなるように立設された一対の角状突起部５０３と、を備える。これら一対の角状突起部５０３における容器本体５０１の上端面５０１ａからの長さは、それぞれ同じである。この点眼容器５００において、点眼を補助する部位は、一対の角状突起部５０３である。
【０００３】
以上のように構成される点眼容器５００では、図２０に示すように、顔を上に向けた状態で一対の角状突起部５０３の各先端を上下の瞼に当接させることで、ノズル５０２の開口（薬液排出口）が眼球直前に位置することとなり、薬液を容易に眼に滴下することができる。
【先行技術文献】
【特許文献】
【０００４】
【特許文献１】実開昭５０−１１１９８８号公報
【発明の概要】
【発明が解決しようとする課題】
【０００５】
上述の点眼容器によっても薬液を容易に眼に滴下できるが、近年、薬液をより容易に眼に滴下できる点眼容器や、点眼容器での点眼を補助する部材（点眼補助具）が求められている。
【０００６】
そこで、本発明は、薬液を容易に眼に滴下できる点眼補助具、及び点眼補助部を備えた点眼容器を提供することを課題とする。
【課題を解決するための手段】
【０００７】
本発明に係る点眼補助具は、
薬液の滴下用ノズル、又は点眼容器のノズルが配置可能な配置部と、
前記滴下用ノズル又は前記配置部に配置された状態の前記ノズルからの薬液の排出方向と直交する方向における前記滴下用ノズル又は前記配置部の一方側に配置され、且つ、眼窩口の下縁部に当接させるための第一当接部と、
前記直交する方向における前記滴下用ノズル又は前記配置部の他方側に配置され、且つ、上瞼における眼窩口と重なる位置に当接させるための第二当接部と、を備え、
前記第一当接部及び前記第二当接部のそれぞれは、前記排出方向に沿って延び、
前記第二当接部の先端は、前記第一当接部の先端より前記排出方向側に突出している。
【０００８】
かかる構成によれば、第二当接部の先端が第一当接部の先端より前記排出方向側に突出しているため、当該点眼補助具を点眼容器に取り付けて点眼する際に、眼窩口の下縁部に第一当接部の先端を当接させた状態で第二当接部の先端で上瞼を眼窩内に少し押し込むようにして当接させることで、上下の瞼を開くことができ（図４参照）、これにより、薬液を容易に眼に滴下させることができる。
【０００９】
前記点眼補助具では、
前記滴下用ノズル又は前記配置部は、前記直交する方向における前記第一当接部の先端と前記第二当接部の先端との中央位置より前記第二当接部側の位置に配置されてもよい。
【００１０】
かかる構成によれば、ノズル（滴下用ノズル、又は配置部に配置されたノズル）の先端と、第一当接部の先端とを結ぶ仮想線が、前記直交する方向に対して平行に近い角度となるため、点眼容器の水平方向に対する傾きを小さくても、ノズルから滴下させた薬液（液滴）が第一当接部に当たることなく眼に入り（例えば、図４参照）、これにより、使用者が点眼するために腕全体を大きく上げる必要がなくなり、点眼が容易になる。
【００１１】
また、前記点眼補助具では、
前記滴下用ノズルの基部の中心又は前記配置部の中心から、前記第二当接部の先端までの距離は、２０ｍｍ〜４０ｍｍである、ことが好ましい。
【００１２】
かかる構成によれば、点眼の際に使用者が顔を斜め上方に向けた姿勢で、第一当接部の先端を眼窩口の下縁部に当接させつつ第二当接部の先端を上瞼における眼窩口と重なる位置に当接させたときに、液滴が眼に入り易い。
【００１３】
また、本発明に係る点眼容器は、
薬液の滴下用のノズルと、
前記ノズルからの前記薬液の排出方向と直交する方向における該ノズルの一方側に配置され且つ眼窩口の下縁部に当接させるための第一当接部、及び、前記直交する方向における該ノズルの他方側に配置され且つ上瞼における眼窩口と重なる位置に当接させるための第二当接部、を有する点眼補助部と、
前記ノズルに接続され且つ前記薬液を収容可能な容器本体と、を備え、
前記第一当接部及び前記第二当接部のそれぞれは、前記排出方向に沿って延び、
前記第二当接部の先端は、前記第一当接部の先端より前記排出方向側に突出している。
【００１４】
かかる構成によれば、第二当接部の先端が第一当接部の先端より前記排出方向側に突出しているため、点眼の際に、眼窩口の下縁部に第一当接部の先端を当接させた状態で第二当接部の先端で上瞼を眼窩内に少し押し込むようにして当接させることで、上下の瞼を開くことができ（図１１参照）、これにより、薬液をより容易に眼に滴下させることができる。
【００１５】
また、前記点眼容器は、
着脱可能に前記ノズル及び前記点眼補助部に被せられるキャップを備え、
前記ノズルは、前記直交する方向における前記第一当接部の先端と前記第二当接部の先端との中央位置より前記第二当接部側の位置に配置され、
前記キャップは、前記ノズルを収容可能な二つのノズル収容部を有し、
前記二つのノズル収容部のそれぞれは、前記直交する方向における前記キャップの向きを入れ替えて被せたときに前記二つのノズル収容部のいずれか一方のノズル収容部が前記ノズルを収容できるように配置されていてもよい。
【００１６】
かかる構成によれば、前記中心位置からずれた位置（第二当接部側の位置）に配置されたノズルの位置と、キャップのノズル収容部との位置合わせをすることなく、即ち、キャップの前記直交する方向の両端部が該直交する方向の何れを向いていても、キャップをノズル及び点眼補助部に被せることができる。
【００１７】
また、前記点眼容器において、前記ノズルと前記点眼補助部は、一体であってもよい。このように、ノズルと点眼補助部とを一体とすることで、部品点数の削減や構成の簡素化を図ることができる。
【発明の効果】
【００１８】
以上より、本発明によれば、薬液を容易に眼に滴下できる点眼補助具、及び点眼補助部を備えた点眼容器を提供することができる。
【図面の簡単な説明】
【００１９】
【図１】図１は、第一実施形態に係る点眼補助具の斜視図である。
【図２】図２は、図１のＩＩ−ＩＩ位置における断面図である。
【図３】図３は、前記点眼補助具が点眼容器に取り付けられた状態、及び前記点眼補助具と前記点眼容器との各部位の位置関係を示す図である。
【図４】図４は、前記点眼補助具が取り付けられた前記点眼容器による点眼を説明するための図である。
【図５】図５は、第二実施形態に係る点眼容器の分解斜視図である。
【図６】図６は、ノズルが配置された状態の点眼補助部の斜視図である。
【図７】図７は、図６のＶＩＩ−ＶＩＩ位置における断面図である。
【図８】図８は、前記点眼容器の各部位の位置関係を示す図である。
【図９】図９は、キャップの断面図である。
【図１０】図１０は、点眼補助部及びノズルにキャップが被せられた状態の断面図である。
【図１１】図１１は、前記点眼容器による点眼を説明するための図である。
【図１２】図１２は、他実施形態に係る第一当接部及び第二当接部を説明するための模式図である。
【図１３】図１３は、他実施形態に係る第一当接部及び第二当接部を説明するための模式図である。
【図１４】図１４は、他実施形態に係る第一当接部及び第二当接部を説明するための模式図である。
【図１５】図１５は、他実施形態に係る第一当接部及び第二当接部を説明するための模式図である。
【図１６】図１６は、他実施形態に係る第一当接部及び第二当接部を説明するための模式図である。
【図１７】図１７は、他実施形態に係る点眼容器の容器本体を説明するための模式図である。
【図１８】図１８は、前記容器本体を備えた点眼容器による点眼を説明するための図である。
【図１９】図１９は、従来の点眼容器を説明するための図である。
【図２０】図２０は、前記点眼容器による点眼を説明するための図である。
【発明を実施するための形態】
【００２０】
以下、本発明の第一実施形態である点眼補助具について、図１〜図４を参照しつつ説明する。
【００２１】
本実施形態の点眼補助具は、点眼容器に取り付けられ、該点眼容器による点眼を補助するための部材である。具体的に、点眼補助具は、図１〜図３に示すように、取り外し可能に点眼容器１００に取り付けられる補助具本体２と、補助具本体２から延び且つ点眼の際に眼の周辺に当接する当接部３と、を備える。
【００２２】
補助具本体２は、点眼容器１００を保持可能な保持部２１と、点眼容器１００のノズル１０１が配置可能なノズル配置部（配置部）２２と、これら保持部２１及びノズル配置部２２が配置される基部２３と、を有する。
【００２３】
保持部２１は、点眼容器１００の頸部（ノズル１０１が取り付けられている部位）１０２と螺合することによって該頸部１０２（点眼容器１００）を保持する。この保持部２１は、短筒状の部位であり、内周面２１ａに雌ネジを有する。
【００２４】
ノズル配置部２２は、保持部２１が点眼容器１００の頸部１０２を保持したときに、該頸部１０２に取り付けられているノズル１０１が配置される部位である。本実施形態のノズル配置部２２は、基部２３において筒状の保持部２１の内側（保持部２１に囲まれた空間）と連通する穴である。即ち、本実施形態のノズル配置部２２は、保持部２１が点眼容器１００の頸部１０２を保持した状態のときに該点眼容器１００のノズル１０１が挿通されている穴である（図３参照）。このノズル配置部２２は、円形の穴、より詳しくは、その中心Ｃｐを保持部２１の中心軸Ｃ１と一致させた円形の穴である。本実施形態のノズル配置部２２の中心Ｃｐは、保持部２１の中心軸Ｃ１と基部２３の上面２３ａを含む仮想面Ｖｓとの交点である（図２参照）。
【００２５】
基部２３は、板状の部位であり、保持部２１の中心軸Ｃ１方向と直交する面方向に沿って広がる。
【００２６】
当接部３は、眼窩の下縁部に当接させるための第一当接部３１と、上瞼における眼窩口と重なる位置に当接させるための第二当接部３２と、を有する。これら第一当接部３１と第二当接部３２とのそれぞれは、補助具本体２の基部２３から延びている。
【００２７】
本実施形態の第一当接部３１は、ノズル配置部２２に配置された状態のノズル１０１からの薬液の排出方向（本実施形態の例では、保持部２１の中心軸Ｃ１方向）と直交する方向におけるノズル配置部２２の一方側に配置され、第二当接部３２は、前記直交する方向におけるノズル配置部２２の他方側に配置される。即ち、第一当接部３１と第二当接部３２とは、基部２３におけるノズル配置部２２を間に挟んだ位置からそれぞれ延びている。
【００２８】
以下では、保持部２１の中心軸Ｃ１方向をＺ軸方向とし、第一当接部３１と第二当接部３２とが並ぶ方向をＸ軸方向とし、Ｘ軸方向及びＺ軸方向と直交する方向をＹ軸方向とする。
【００２９】
第一当接部３１は、基部２３からＺ軸方向に沿って延びる。具体的に、第一当接部３１は、Ｚ軸方向に沿ってＺ軸方向の一方側（図２における上側）に延びる板状の当接部本体３１１と、当接部本体３１１の先端からＸ軸方向の外側（第二当接部３２の側とは反対側：図２における左側）に突出する突出部３１２と、を有する。当接部本体３１１は、Ｚ軸方向から見て、Ｘ軸方向の外側に凸となるように湾曲する。また、突出部３１２は、当接部本体３１１の先端からＸ軸方向の外側に突出し、且つ、当接部本体３１１の先端に沿ってＹ軸方向に延びている。この突出部３１２のＺ軸方向の一方側の面３１２ａは、当接部本体３１１の先端面３１１ａと面一になっている（図２参照）。
【００３０】
このように構成される第一当接部３１の先端面（当接部本体３１１の先端面３１１ａとＺ軸方向における突出部３１２の一方側の面３１２ａとによって構成される面）３１ａは、眼窩の下縁部に当接させたときに該下縁部に沿うように湾曲している。即ち、第一当接部３１の先端面３１ａは、Ｚ軸方向の他方側（図２における下側）に凹となるように湾曲している。
【００３１】
第二当接部３２は、基部２３からＺ軸方向に沿って延びる。この第二当接部３２の先端３２０は、第一当接部３１の先端３１０よりＺ軸方向の一方側に突出している（図２参照）。本実施形態の点眼補助具１では、Ｚ軸方向における基部２３（詳しくは、仮想面Ｖｓ）から第二当接部３２の先端３２０までの寸法が、Ｚ軸方向における基部２３（仮想面Ｖｓ）から第一当接部３１の先端３１０までの寸法より大きい。また、本実施形態の点眼補助具１では、第二当接部３２の先端３２０の全体（Ｙ軸方向の全域）が、第一当接部３１の先端３１０の全体より、Ｚ軸方向の一方側に突出している。第二当接部３２の先端３２０も、第一当接部３１の先端３１０と同様に、Ｚ軸方向の他方側に凹となるように湾曲している。
【００３２】
これら第一当接部３１と第二当接部３２とは、Ｘ軸方向における第二当接部３２の先端３２０（詳しくは、先端３２０のＹ軸方向の中央位置）とノズル配置部２２の中心Ｃｐとの距離がＸ軸方向における第一当接部３１の先端３１０（詳しくは、先端３１０のＹ軸方向の中心）とノズル配置部２２の中心Ｃｐとの距離より小さくなる位置に、それぞれ配置されている。換言すると、ノズル配置部２２は、Ｘ軸方向における第一当接部３１の先端３１０と第二当接部３２の先端３２０との中央位置より第二当接部３２側の位置に配置されている（図２参照）。
【００３３】
より具体的には、Ｘ軸方向におけるノズル配置部２２の中心Ｃｐから第一当接部３１の先端３１０までの距離Ｘ１と、Ｚ軸方向におけるノズル配置部２２の中心Ｃｐから第一当接部３１の先端３１０までの距離Ｚ１と、の比（図３参照）が、１：１〜３：１となるように、第一当接部３１と第二当接部３２との位置及び各寸法がそれぞれ設定されている。
【００３４】
本実施形態の点眼補助具１では、Ｘ軸方向におけるノズル配置部２２の中心Ｃｐから第一当接部３１の先端３１０（詳しくは、先端３１０のＹ軸方向の中央位置におけるＸ軸方向の内縁）までの距離Ｘ１は、１５ｍｍ〜３０ｍｍであり、Ｚ軸方向におけるノズル配置部２２の中心Ｃｐから第一当接部３１の先端３１０（詳しくは、先端３１０のＹ軸方向の中央位置におけるＸ軸方向の内縁）までの距離、即ち、仮想面Ｖｓから第一当接部３１の先端３１０までの距離Ｚ１は、１０ｍｍ〜３０ｍｍである。
【００３５】
市販されている点眼容器１００のノズル１０１の長さは、通常、１ｍｍ〜２０ｍｍ程度であるため、距離Ｘ１と距離Ｚ１との範囲が上述の範囲に含まれることで、点眼補助具１が点眼容器１００に取り付けられたときに、ノズル１０１の先端（先端の開口中心）と、第一当接部３１の先端３１０とを結ぶ仮想線Ｌ１と、ノズル配置部２２の中心Ｃｐを通り且つＺ軸方向に延びる線（保持部２１の中心軸Ｃ１）とのなす角αは、５０°〜７５°となる。このように、仮想線Ｌ１と中心軸Ｃ１とのなす角αが、ノズル配置部２２の中心ＣｐがＸ軸方向における第一当接部３１の先端３１０と第二当接部３２の先端３２０との中間位置、又は該中間位置より第一当接部３１側に配置される場合に比べ、より大きくなることで、点眼容器１００の中心線（ノズル１０１の開口中心を通って薬液の排出方向（Ｚ軸方向）に延びる線）と水平方向とのなす角β（図４参照）がより小さくても、ノズル１０１から滴下させた薬液（液滴）が第一当接部３１に当たらずに（即ち、眼に入るのを第一当接部３１に邪魔されることなく）眼に入る。これにより、使用者が点眼容器１００を保持する腕全体を大きく上にあげなくても点眼することができる。
【００３６】
また、第一当接部３１の先端３１０と第二当接部３２の先端３２０とを結ぶ仮想線Ｌ２と、ノズル配置部２２の中心Ｃｐとの距離Ａ１は、１１ｍｍ〜４５ｍｍである。この場合、点眼補助具１が点眼容器１００に取り付けられたときに、ノズル１０１の先端と仮想線Ｌ２との距離Ａ２が、１０ｍｍ〜２５ｍｍとなるため、点眼の際に、ノズル１０１の先端と眼との間の適切な間隔が確保される。即ち、ノズル１０１が眼に近づき過ぎることによって該ノズル１０１がまつ毛に接触したり、ノズル１０１が眼から離れ過ぎて液滴が眼に入り難くなったりすることが、防がれる。
【００３７】
また、ノズル配置部２２の中心Ｃｐから第一当接部３１の先端３１０までの距離Ａ３は、２０ｍｍ〜４０ｍｍである。本実施形態の点眼補助具１では、ノズル１０１の先端から第一当接部３１の先端３１０までの距離Ａ４が、点眼の際に使用者が顔を斜め上方に向けた姿勢で、第一当接部３１の先端３１０を眼窩口の下縁部に当接させつつ第二当接部３２の先端３２０を上瞼における眼窩口と重なる位置に当接させたときに、ｉ）眼の略真上にノズル１０１の先端が位置するため、滴下した薬液が眼に入り易くなり、ｉｉ）ノズル１０１がまつ毛に触れず、ｉｉｉ）点眼の際の恐怖感（ノズルの先端が鮮明に見えることによる恐怖感）のない距離となるように、上記の距離Ａ３が設定されている。尚、距離Ａ３が２５ｍｍ〜３５ｍｍのときに、上記ｉ）〜ｉｉｉ）の効果がより顕著に得られるため、より好ましい。
【００３８】
以上のように構成される点眼補助具１は、ノズル１０１が保持部２１側からノズル配置部２２を通過するように点眼容器１００の頸部１０２と保持部２１とを螺合させることによって、点眼容器１００に取り付けられる（図３参照）。
【００３９】
そして、点眼の際には、第二当接部３２の先端３２０が第一当接部３１の先端３１０よりＺ軸方向に突出しているため、眼窩口の下縁部に第一当接部３１の先端３１０を当接させた状態で第二当接部３２の先端３２０で上瞼を眼窩内に少し押し込むようにして当接させることで、上下の瞼を開くことができ（図４参照）、これにより、薬液をより容易に眼に滴下させることができる。このとき、突出部３１２を引っ掛けて下瞼を少し引き下げるようにして眼窩口の下縁部に第一当接部３１の先端３１０を当接させ、続いて、第二当接部３２の先端３２０で上瞼を眼窩内に少し押し込むようにして当接させることにより、上下の瞼をより大きく開くことができる。
【００４０】
また、本実施形態の点眼補助具１では、ノズル配置部２２が、Ｘ軸方向における第一当接部３１の先端３１０と第二当接部３２の先端３２０との中央位置より第二当接部３２側の位置に配置されているため、仮想線Ｌ１がＸ軸方向に対して平行に近い角度となる。これにより、点眼の際に、点眼容器１００の水平方向に対する傾き（点眼容器１００の中心線と水平方向とのなす角β）を小さくしても、ノズル１０１から滴下させた薬液（液滴）が第一当接部３１に当たることなく眼に入り、その結果、使用者が腕全体を大きく上げる必要がなく、点眼が容易になる。詳しくは、以下の通りである。
【００４１】
ノズル配置部２２が前記中央位置より第二当接部３２側の位置に配置されていることで、仮想線Ｌ１とノズル配置部２２の中心Ｃｐを通ってＺ軸方向に延びる線（保持部２１の中心軸Ｃ１）とのなす角αが、ノズル配置部２２が前記中央位置又は該中央位置より第一当接部３１側に配置されている場合に比べて大きくなる。このため、ノズル配置部２２が前記中央位置又は該中央位置より第一当接部３１側に配置されている場合に比べ、点眼容器１００の水平方向に対する傾き（角度）を小さくしても、ノズル１０１から薬液を滴下させたときに該薬液（液滴）が第一当接部３１（詳しくは、第一当接部３１のＺ軸方向の途中位置）に当たらず、眼に入れることができる。
【００４２】
また、本実施形態の点眼補助具１では、ノズル配置部２２の中心Ｃｐから第一当接部３１の先端３１０までの距離Ａ３が、２０ｍｍ〜４０ｍｍである。このため、点眼の際に使用者が顔を斜め上方に向けた姿勢で、第一当接部３１の先端３１０を眼窩口の下縁部に当接させつつ第二当接部３２の先端３２０で上瞼を眼窩内に押し込んだときに、液滴が眼に入り易い。詳しくは、距離Ａ３を２０ｍｍ〜４０ｍｍとすることで、第一当接部３１の先端３１０を眼窩口の下縁部に当接させつつ第二当接部３２の先端３２０で上瞼を眼窩内に押し込んだときに、ｉ）眼の略真上にノズル１０１の先端が位置するため、滴下した薬液が眼に入り易くなり、ｉｉ）ノズル１０１がまつ毛に触れず、ｉｉｉ）点眼の際の恐怖感がない。
【００４３】
次に、本発明の第二実施形態である点眼容器について図５〜図１１を参照しつつ説明するが、上記第一実施形態と同様の構成には同一符号を用いると共に詳細な説明を省略し、異なる構成についてのみ詳細に説明する。
【００４４】
本実施形態の点眼容器は、第一実施形態の点眼補助具１に相当する点眼補助部を備えている。具体的に、点眼容器は、図５に示すように、薬液の滴下用のノズル６と、点眼を補助するための部位である点眼補助部１Ａと、ノズル６に接続され且つ薬液を収容可能な容器本体７と、着脱可能に点眼補助部１Ａに被せられるキャップ８と、を備える。
【００４５】
ノズル６は、図６〜図８にも示すように、円筒状のノズル基部６１と、ノズル基部６１からＺ軸方向の一方側に延び且つノズル基部６１より小径なノズル先端部６２と、を有する。このノズル６は、先端（ノズル先端部６２の先端）に、Ｚ軸方向に開口する先端開口６３を有し、薬液をＺ軸方向に排出可能である。
【００４６】
点眼補助部１Ａは、容器本体７が取り付けられる補助部本体２Ａと、補助部本体２Ａから延び且つ点眼の際に眼の周辺に当接する当接部３Ａと、を備える。
【００４７】
補助部本体２Ａは、容器本体７を保持する保持部２１と、ノズル６が配置されるノズル配置部２２Ａと、これら保持部２１及びノズル配置部２２Ａが配置される基部２３と、を有する。また、本実施形態の補助部本体２Ａは、保持部２１とノズル配置部２２Ａとの間に逆止弁２４を有する。
【００４８】
基部２３は、Ｘ−Ｙ面（Ｘ軸方向とＹ軸方向とを含む面）方向に沿って広がる第一部位２３１と、第一部位２３１における周縁の全周からＺ軸方向の他方側に延びる第二部位２３２と、を有する。
【００４９】
保持部２１は、容器本体７の頸部７２と螺合することによって該頸部７２を保持する。この保持部２１は、基部２３の第一部位２３１からＺ軸方向の他方側に延び且つ頸部７２の外側を囲む第一筒部２１１と、第一筒部２１１の内側において頸部７２の内側に嵌まり込む第二筒部２１２と、を有する。第一筒部２１１は、雌ネジが形成された内周面２１１ａを有する。この第一筒部２１１が頸部７２の外周面に形成された雄ネジと螺合することによって、保持部２１が頸部７２（容器本体７）を保持する。
【００５０】
ノズル配置部２２Ａは、基部２３の第一部位２３１からＺ軸方向の一方側に延びる筒状の部位であり、ノズル基部６１を囲むことによってノズル６を保持する。ノズル配置部２２Ａは、Ｘ軸方向において第一部位２３１の中心から一方側（第二当接部３２に近い側：図７における右側）にずれた位置に設けられている。詳しくは、ノズル配置部２２Ａは、該ノズル配置部２２Ａに配置されたノズル６の中心軸（先端開口６３の中心を通ってＺ軸方向に延びる軸）Ｃ２が、Ｘ軸方向において、補助部本体２Ａの中心位置から一方側にずれた位置、より詳しくは、ノズル配置部２２Ａの全体が補助部本体２Ａの中心位置より一方側に位置するように配置されている。
【００５１】
逆止弁２４は、保持部２１（詳しくは、第二筒部２１２に囲まれた空間）からノズル配置部２２Ａ（詳しくは、筒状のノズル配置部２２Ａに囲まれた空間）に向かう流体（本実施形態の例では薬液）の通過を許容する一方、ノズル配置部２２Ａから保持部２１に向かう流体（本実施形態の例では薬液及び外部の空気）の通過を阻止する。
【００５２】
当接部３Ａは、第一実施形態と同様に、眼窩口の下縁部に当接させるための第一当接部３１と、上瞼における眼窩口と重なる位置に当接させるための第二当接部３２と、を有する。また、本実施形態の当接部３Ａは、第一当接部３１と第二当接部３２とを接続する一対の接続部３３も有する。
【００５３】
一対の接続部３３のそれぞれは、第一当接部３１と第二当接部３２とにおいてＸ軸方向に対向するＹ軸方向の端部同士を接続する。これにより、一対の接続部３３と、第一当接部３１の基部２３側の部位と、第二当接部３２の基部２３側の部位とによって、ノズル６が内側に位置するような筒状の部位が構成される（図６参照）。
【００５４】
本実施形態の第一当接部３１及び第二当接部３２は、第一実施形態の第一当接部及び第二当接部と同様の構成である。即ち、第一当接部３１と第二当接部３２とは、Ｘ軸方向における第二当接部３２の先端３２０とノズル基部６１（ノズル配置部２２Ａ）の中心Ｃｐとの距離がＸ軸方向における第一当接部３１の先端３１０とノズル基部６１（ノズル配置部２２Ａ）の中心Ｃｐとの距離より小さくなる位置に、それぞれ配置されている。尚、本実施形態において、ノズル基部６１（ノズル配置部２２Ａ）の中心Ｃｐは、ノズル６の中心軸Ｃ２（保持部２１の中心軸Ｃ１）と基部２３（第一部位２３１）の上面２３ａを含む仮想面Ｖｓとの交点である（図７参照）。
【００５５】
即ち、本実施形態の点眼補助部１Ａにおいても、距離Ｘ１と距離Ｚ１との比は、１：１〜３：１であり、距離Ｘ１は、１５ｍｍ〜３０ｍｍ、距離Ｚ１は、１０ｍｍ〜３０ｍｍである（図１０参照）。また、仮想線Ｌ１と、ノズル６の中心軸Ｃ２（保持部２１の中心軸Ｃ１）とのなす角αは、５０°〜７５°である。また、仮想線Ｌ２と、ノズル基部６１の中心Ｃｐとの距離Ａ１は、１１ｍｍ〜４５ｍｍであり、仮想線Ｌ２とノズル６の先端との距離Ａ２が、１０ｍｍ〜２５ｍｍとなっている。
【００５６】
容器本体７は、図５及び図８に示すように、薬液を収容可能な収容部７１と、収容部７１からＺ軸方向の一方側に延び且つ保持部２１によって保持される頸部７２と、を有する。この容器本体７では、頸部７２の先端開口を通じて内部空間（薬液の収容空間）と外部空間とが連通する。頸部７２の外周面には、保持部２１（第一筒部２１１）の内周面２１１ａに形成された雌ネジと螺合する雄ネジが形成されている。
【００５７】
この容器本体７は、頸部７２の開口が斜め下方を向いた姿勢（例えば、図１１に示す姿勢）でも、内部に収容された薬液の略全量を排出できる。本実施形態の容器本体７は、いわゆる剥離ボトルである。具体的に、この容器本体７は、最も外側の外層部７３と、外層部７３の内面に重ねられた内層部７４であって、薬液が収容されると共に収容された薬液の減少に伴って減容変形可能な内層部７４と、外層部７３に設けられ且つ外層部７３と内層部７４との間に外気を導入可能な外気導入部と、を有する。
【００５８】
キャップ８は、図５、図９、及び図１０に示すように、ノズル６及び点眼補助部１Ａに被せられる。本実施形態のキャップ８は、ノズル６を収容可能な二つのノズル収容部８１を有する。このキャップ８において、二つのノズル収容部８１のそれぞれは、Ｘ軸方向におけるキャップ８の向きを入れ替えて被せたときに、二つのノズル収容部８１のいずれか一方のノズル収容部８１がノズル６を収容できるように配置されている。
【００５９】
二つのノズル収容部８１のそれぞれは、ノズル６の先端開口６３を封止して該ノズル６からの液漏れを防ぐ。これら二つのノズル収容部８１は、Ｘ軸方向に並んでいる。詳しくは、キャップ８のＸ軸方向の片方の端部を第一端部８Ａとし、第一端部８Ａと反対側の端部を第二端部８Ｂとし、第一端部８Ａ側のノズル収容部８１を第一収容部８１Ａとし、第二端部８Ｂ側のノズル収容部８１を第二収容部８１Ｂとしたときに、第一端部８ＡをＸ軸方向の一方側（図１０における右側）で且つ第二端部８ＢをＸ軸方向の他方側（図１０における左側）に向けた状態でキャップ８が点眼補助部１Ａに被せられたときにはノズル６が第一収容部８１Ａに収容され（図１０参照）、第一端部８ＡをＸ軸方向の他方側で且つ第二端部８ＢをＸ軸方向の一方側に向けた状態でキャップ８が点眼補助部１Ａに被せられたときにはノズル６が第二収容部８１Ｂに収容される位置に、第一収容部８１Ａと第二収容部８１Ｂとがそれぞれ配置されている。
【００６０】
これら二つのノズル収容部８１のそれぞれは、Ｚ軸方向におけるキャップ８の他方側の端部において、内側にノズル６を収納可能にＺ軸方向の一方側に向けて窪んだ部位である。具体的に、各ノズル収容部８１は、Ｚ軸方向の一方側に向けて窪んだ収容部凹面８１１と、収容部凹面８１１における先端開口６３との対向面（収容部凹面８１１において、Ｚ軸方向の一方側の端部においてＺ軸方向の他方側を向いた面）８１１ａからＺ軸方向の他方側に向けて延びる封止凸部８１２と、を有する。
【００６１】
収容部凹面８１１は、円錐台状に窪んだ凹面であり、Ｚ軸方向の寸法（対向面８１１ａを底面としたときの深さ）は、ノズル６に対応した大きさである。本実施形態の収容部凹面８１１には、Ｚ軸方向の途中位置に段差部が形成されている。この収容部凹面８１１は、キャップ８が点眼補助部１Ａに被せられた状態のときに、対向面８１１ａがノズル６の先端と当接した状態で該収容部凹面８１１の内側空間にノズル６を収容できる形状である（図１０参照）。
【００６２】
封止凸部８１２は、ノズル６の先端開口６３の内径に対応した外径を有する円柱状の部位である。この封止凸部８１２は、キャップ８が点眼補助部１Ａに被せられたときに、先端開口６３からノズル６内に挿入される。この封止凸部８１２のノズル６内への挿入と、上述の収容部凹面８１１の対向面８１１ａのノズル６の先端への当接とによって、キャップ８が点眼補助部１Ａに被せられた状態におけるノズル６からの液漏れ（容器本体７に収容された薬液のノズル６からの漏れ）を防いでいる。
【００６３】
以上の点眼容器５においても、第一実施形態の点眼補助具が取り付けられた点眼容器１００と同様に、第二当接部３２の先端３２０が第一当接部３１の先端３１０よりＺ軸方向に突出している。このため、点眼の際には、眼窩口の下縁部に第一当接部３１の先端３１０を当接させた状態で第二当接部３２の先端３２０で上瞼を眼窩内に少し押し込むようにして当接させることで、上下の瞼を開くことができ（図１１参照）、これにより、薬液をより容易に眼に滴下させることができる。このとき、突出部３１２を引っ掛けて下瞼を少し引き下げるようにして眼窩口の下縁部に第一当接部３１の先端３１０を当接させ、続いて、第二当接部３２の先端３２０で上瞼を眼窩内に少し押し込むようにして当接させることにより、上下の瞼をより大きく開くことができる。
【００６４】
また、本実施形態の点眼容器５では、ノズル６（ノズル配置部２２Ａ）が、Ｘ軸方向における第一当接部３１の先端３１０と第二当接部３２の先端３２０との中央位置より第二当接部３２側の位置に配置されているため、仮想線Ｌ１がＸ軸方向に対して平行に近い角度となる（即ち、仮想線Ｌ１とノズル６の中心軸Ｃ２（ノズル基部６１の中心Ｃｐを通ってＺ軸方向に延びる軸）とのなす角αが大きくなる）。これにより、点眼の際に、点眼容器５の水平方向に対する傾き（点眼容器５の中心線と水平方向とのなす角β）を小さくしても、ノズル６から滴下させた薬液（液滴）が第一当接部３１（詳しくは、第一当接部３１のＺ軸方向の途中位置）に当たることなく眼に入り、その結果、使用者が腕全体を大きく上げる必要がなく、点眼が容易になる。
【００６５】
また、本実施形態の点眼容器５では、ノズル基部６１の中心Ｃｐから第一当接部３１の先端３１０までの距離Ａ３は、２０ｍｍ〜４０ｍｍである。かかる構成によれば、点眼の際に使用者が顔を斜め上方に向けた姿勢で、第一当接部３１の先端３１０を眼窩口の下縁部に当接させつつ第二当接部３２の先端３２０で上瞼を眼窩内に押し込んだときに、液滴が眼に入り易い。詳しくは、距離Ａ３を２０ｍｍ〜４０ｍｍとすることで、第一当接部３１の先端３１０を眼窩口の下縁部に当接させつつ第二当接部３２の先端３２０で上瞼を眼窩内に押し込んだときに、ｉ）眼の略真上にノズル１０１の先端が位置するため、滴下した薬液が眼に入り易くなり、ｉｉ）ノズル１０１がまつ毛に触れず、ｉｉｉ）点眼の際の恐怖感がない。尚、距離Ａ３が２５ｍｍ〜３５ｍｍのときに、上記ｉ）〜ｉｉｉ）の効果がより顕著に得られるため、より好ましい。
【００６６】
また、本実施形態の点眼容器５では、キャップ８において、二つのノズル収容部８１のそれぞれが、Ｘ軸方向におけるキャップ８の向きを入れ替えて被せたときに二つのノズル収容部８１のいずれか一方のノズル収容部８１がノズル６を収容できるように配置されている。このため、Ｘ軸方向の中心位置からずれた位置に配置されたノズル６の位置と、キャップ８のノズル収容部８１との位置合わせをすることなく、即ち、キャップ８のＸ軸方向の両端部８Ａ、８ＢがＸ軸方向の何れを向いていても、キャップ８を点眼補助部１Ａに被せることができる。
【００６７】
尚、本発明の点眼補助具、及び点眼補助具を備えた点眼容器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６８】
第一実施形態の点眼補助具１のノズル配置部２２と第二実施形態の点眼容器５のノズル６（ノズル配置部２２Ａ）とは、Ｘ軸方向における第一当接部３１の先端３１０と第二当接部３２の先端３２０との中央位置より第二当接部３２側に配置されているが、この構成に限定されない。ノズル配置部２２とノズル６とは、Ｘ軸方向における第一当接部３１の先端３１０と第二当接部３２の先端３２０との中央位置に配置されてもよく、Ｘ軸方向における第一当接部３１の先端３１０と第二当接部３２の先端３２０との中央位置より第一当接部３１側に配置されてもよい。これらの構成によっても、第二当接部３２の先端３２０が第一当接部３１の先端３１０よりＺ軸方向の一方側に突出していることで、眼窩口の下縁部に第一当接部３１の先端３１０を当接させた状態で第二当接部３２の先端３２０で上瞼を眼窩内に少し押し込むようにして当接させたときに、上下の瞼を開くことができるため、薬液をより容易に眼に滴下させることができる。
【００６９】
また、第一当接部３１と第二当接部３２との具体的な構成は、限定されない。例えば、第一実施形態の点眼補助具１と第二実施形態の点眼容器５との当接部３においては、第一当接部３１と第二当接部３２とのそれぞれが、仮想面Ｖｓに沿って広がる基部２３からＺ軸方向に真っ直ぐ延びているが、この構成に限定されない。第一当接部３１と第二当接部３２との少なくとも一方が、湾曲、屈曲等していてもよい（図１２参照）。また、第一当接部３１と第二当接部３２とは、図１３に示すように、保持部２１から延びていてもよい。また、図１４に示すようなＺ軸方向の寸法が一定でない（図１４に示す例では、第二当接部３２側ほどＺ軸方向の寸法が大きくなっている）基部２３Ａ等の場合には、第一当接部３１の基部２３から先端３１０までのＺ軸方向の寸法が、第二当接部３２の基部２３から先端３２０までのＺ軸方向の寸法より大きくてもよい。また、第一実施形態の点眼補助具１と第二実施形態の点眼容器５との当接部３においては、第一当接部３１と第二当接部３２とは、板状であるが、この構成に限定されない。第一当接部３１と第二当接部３２とは、図１５に示すような棒状や、図１６に示すようなＺ軸方向の各位置において厚さ（Ｘ軸方向の寸法）が連続又は断続に変化する構成等でもよい。即ち、第二当接部３２の先端３２０が第一当接部３１の先端３１０よりＺ軸方向の一方側に突出していればよい。
【００７０】
上記第一実施形態の点眼補助具１では、保持部２１が螺合によって点眼容器１００の頸部１０２を保持するが、この構成に限定されない。保持部２１は、嵌め込み、クリップ構造等の取り外し可能に点眼容器１００の頸部１０２を保持できる構成であればよく、具体的な構成は限定されない。
【００７１】
また、上記第一実施形態の点眼補助具１は、薬液の滴下用のノズルを備えていないが、この構成に限定されず、薬液滴下用のノズルを備えていてもよい。この場合、点眼補助具１は、ノズル１０１が取り外された状態の点眼容器１００に取り付けられる。
【００７２】
また、上記第一実施形態の点眼補助具１は、点眼容器１００に取り付けられたときの該点眼容器１００のノズル１０１を覆うキャップを備えていないが、この構成に限定されない。点眼補助具１は、着脱可能にノズル１０１を覆うキャップを備える構成でもよい。このキャップは、ノズル１０１と共に該ノズル１０１以外の部位（例えば、当接部３等）を覆う構成でもよい。
【００７３】
上記第二実施形態の点眼容器５では、容器本体７がいわゆる剥離ボトルであるが、この構成に限定されない。例えば図１７に示すように、容器本体７において、Ｘ軸方向の他方（第一当接部３１側）の肩部７６が傾斜した構成等であってもよい。かかる構成によっても、頸部７２の開口が斜め下方を向いた姿勢で（図１８参照）、内部に収容された薬液の略全量を排出できる。
【００７４】
また、上記実施形態の点眼容器５では、ノズル６と点眼補助部１Ａとが別体であるが、この構成に限定されない。点眼容器５において、ノズル６と点眼補助部１Ａとが一体であってもよい。このように、ノズル６と点眼補助部１Ａとを一体とすることで、点眼容器５において、部品点数の削減や構成の簡素化を図ることができる。
【符号の説明】
【００７５】
１…点眼補助具、１Ａ…点眼補助部、２…補助具本体、２Ａ…補助部本体、２１…保持部、２１ａ…内周面、２１１…第一筒部、２１１ａ…内周面、２１２…第二筒部、２２、２２Ａ…ノズル配置部、２３、２３Ａ…基部、２３ａ…基部の上面、２３１…第一部位、２３２…第二部位、２４…逆止弁、２４１…フレーム、２４１１…湾曲面、２４１２…貫通穴、２４２…弁体、２４２１…環状部、２４２２…凸部、２４２３…接続部、３、３Ａ…当接部、３１…第一当接部、３１ａ…第一当接部の先端面、３１０…第一当接部の先端、３１１…当接部本体、３１１ａ…当接部本体の先端面、３１２…突出部、３１２ａ…Ｚ軸方向における突出部の一方側の面、３１３…貫通穴、３１３ａ…貫通穴周縁部、３２…第二当接部、３２０…第二当接部の先端、３２１…貫通穴、３２１ａ…貫通穴周縁部、３３…接続部、５…点眼容器、６…ノズル、６１…ノズル基部、６２…ノズル先端部、６３…先端開口、７…容器本体、７１…収容部、７２…頸部、７３…外層部、７４…内層部、７５…外気導入穴、７６…肩部、８…キャップ、８Ａ…第一端部、８Ｂ…第二端部、８１…ノズル収容部、８１Ａ…第一収容部（ノズル収容部）、８１Ｂ…第二収容部（ノズル収容部）、８１１…収容部凹面、８１１ａ…対向面、８１２…封止凸部、１００…点眼容器、１０１…ノズル、１０２…頸部、５００…点眼容器、５０１…容器本体、５０１ａ…上端面、５０２…ノズル、５０３…角状突起部、Ａ１、Ａ２、Ａ３、Ａ４、Ｘ１、Ｚ１…距離、Ｃ１…保持部の中心軸、Ｃ２…ノズルの中心軸、Ｃｐ…ノズル配置部の中心又はノズルの基部の中心、Ｌ１、Ｌ２…仮想線、Ｖｓ…仮想面、α、β…角
【図１】
2020081321.tif 000003
【図２】
2020081321.tif 000004
【図３】
2020081321.tif 000005
【図４】
2020081321.tif 000006
【図５】
2020081321.tif 000007
【図６】
2020081321.tif 000008
【図７】
2020081321.tif 000009
【図８】
2020081321.tif 000010
【図９】
2020081321.tif 000011
【図１０】
2020081321.tif 000012
【図１１】
2020081321.tif 000013
【図１２】
2020081321.tif 000014
【図１３】
2020081321.tif 000015
【図１４】
2020081321.tif 000016
【図１５】
2020081321.tif 000017
【図１６】
2020081321.tif 000018
【図１７】
2020081321.tif 000019
【図１８】
2020081321.tif 000020
【図１９】
2020081321.tif 000021
【図２０】
2020081321.tif 000022